(57)【特許請求の範囲】
【請求項１】
屋根の棟部分に設けた屋根開口部の上方に排気口を有する換気棟部材を設け、換気棟部材の下側を屋根開口部から排気口にまで通じる換気通路として形成した換気棟において、換気通路の途中にダンパー保持片を設け、排気口から換気通路に所定以上の強風で吹き込む場合にダンパー部材が風圧により上動して換気通路を遮断する状態となるように、ダンパー部材をダンパー保持片に対して上下スライド移動自在に装着して成ることを特徴とする換気棟。
【請求項２】
ダンパー部材を鉛直方向に上下スライド移動自在に形成して成ることを特徴とする請求項１に記載の換気棟。
【請求項３】
ダンパー部材に風受け片を設け、下動状態のダンパー部材の風受け片が排気口の上縁部よりも上側に位置して成ることを特徴とする請求項１又は２に記載の換気棟。
【請求項４】
熱変形部材をダンパー部材に設け、熱による熱変形部材の変形によりダンパー部材を上動させて換気通路を遮断する状態となるように、ダンパー部材を上下スライド移動自在に形成して成ることを特徴とする請求項１乃至３のいずれかに記載の換気棟。
【発明の詳細な説明】
【技術分野】
【０００１】
本発明は、住宅等の屋根に形成される換気棟に関するものである。
【背景技術】
【０００２】
従来より、小屋裏内の湿度を下げて、住宅の耐久性を向上すると共に屋内の熱気や汚れた空気等を排気して換気することを目的として屋根に換気棟を設けることが行なわれている。この換気棟は、屋根の棟部分に屋内空間に通じる屋根開口部を形成すると共にこの屋根開口部の上方を覆うようにして換気棟部材を設けて形成されるものであり、換気棟部材の側面に排気口が形成されている。そして、換気棟部材の下側空間が屋根開口部と排気口とを連通させる排気通路として形成されることによって、屋内の換気が行なわれるものである。
【０００３】
このような換気棟においては換気棟部材の側面に排気口が形成されているために、暴風雨などの時に排気口から屋内に雨水が進入しないように防水対策を施す必要がある。このような防水対策としては、例えば、排気経路を迷路のように複雑な構造（ラビリンス構造）にして雨水の進入を防止するものがあるが（例えば、特許文献１参照）、換気の際の空気の流れに対する抵抗が大きくなって充分な換気が行えなくなり、また、換気棟部材の成形が複雑になって価格が高くなるという問題があった。また、横からの強風に対して強い防水対策として、換気棟部材の上面に排気口を設けたものもあるが、積雪地では雪により排気口が閉塞されたり、埃やゴミが排気口から排気経路に進入して堆積したりして換気が行えなくなるという問題があった。
【０００４】
そこで、排気口から流入する風により可動して排気経路の片側開口を閉塞することにより換気効率を上げるための可動部材を利用して、その付帯的な効果として風に伴って排気経路に進入する雨水を屋内にまで到達させないようにしたものがある（例えば、特許文献２参照）。図６は、上記のような可動部材を備えた屋根１の換気棟の一例を示すものであり、可動部材３１の上端を軸部３７として換気棟部材３０の下面に枢着することによって、可動部材３１を吊下げて排気経路３２の途中に設けたものである。そして、換気棟部材３０と屋根材３４との間に形成された排気口３３から排気経路３２に風が流入することにより、その風圧で可動部材３１が上動し、風が流入しない場合は自重により可動部材３１が下動するように、可動部材３１がその上端を中心として上下回動自在に形成されている。従って、風が排気口３３から排気経路３２に流入しない場合は可動部材３１が鉛直に垂れ下がった状態となり、排気口３３と屋根開口部３５とが排気経路３２を通じて連通状態となって換気を行うことができるものであり、風が排気口３３から排気経路３２に流入した場合は可動部材３１が上方に回動して邪魔板３６に当たった状態となり、排気経路３２が途中で閉塞されて排気口３３と屋根開口部３５とが不通状態となって雨水の進入を防止することができるものである。
【特許文献１】特開２０００−１７９１１５号公報
【特許文献２】特開２００１−９０２８８号公報
【発明の開示】
【発明が解決しようとする課題】
【０００５】
しかし、図６に示す従来例では、可動部材３１を換気棟部材３０に枢着しているために、可動部材３１の上端の軸部３７が換気棟部材３０に対して摺動することになり、経年により軸部３７にサビが生じたりゴミが溜まったりして可動部材３１が可動しにくくなる場合があった。また、上記従来例では防水上必要がない微風に対しても可動部材３１が可動するために軸部３７の摩耗が激しく、これによっても可動部材３１が可動しにくくなる場合があった。さらに、邪魔板３６で跳ね返された風が可動部材３１に当たって邪魔板３６の反対側に向かって回動することがあり、排気経路３２を閉塞することができないこともあった。そして、上記のいずれの場合でも暴風雨の時に、排気口３３から排気経路３２に進入した雨水が屋根開口部３５を通じて屋内に達する場合があり、防水性能が低くなるという問題があった。
【０００６】
本発明は上記の点に鑑みてなされたものであり、防水性能の低下を少なくすることができる換気棟を提供することを目的とするものである。
【課題を解決するための手段】
【０００７】
本発明の換気棟は、屋根１の棟部分に設けた屋根開口部２の上方に排気口３を有する換気棟部材４を設け、換気棟部材４の下側を屋根開口部２から排気口３にまで通じる換気通路５として形成した換気棟において、換気通路５の途中にダンパー保持片９を設け、排気口３から換気通路５に所定以上の強風で吹き込む場合にダンパー部材６が風圧により上動して換気通路５を遮断する状態となるように、ダンパー部材６をダンパー保持片９に対して上下スライド移動自在に装着して成ることを特徴とするものである。
【０００８】
本発明にあっては、ダンパー部材６を鉛直方向に上下スライド移動自在に形成することができる。
【０００９】
また、本発明にあっては、ダンパー部材６に風受け片７を設け、下動状態のダンパー部材６の風受け片７が排気口３の上縁部よりも上側に位置するのが好ましい。
【００１０】
また、本発明にあっては、熱変形部材５５をダンパー部材６に設け、熱による熱変形部材５５の変形によりダンパー部材６を上動させて換気通路５を遮断する状態となるように、ダンパー部材６を上下スライド移動自在に形成することができる。
【発明の効果】
【００１１】
本発明では、ダンパー部材６全体がダンパー保持片９に対して上下スライド移動するために、ダンパー部材６にヒンジ機構や軸支構造を設ける必要がなく、従って、ヒンジ機構や軸支構造の摩耗等による動作不良を無くすことができて防水性能の低下を少なくすることができるものである。しかも、ダンパー部材６の構造及び取り付けを簡素化することができ、製造コストを抑えることが可能となるものである。
【００１２】
また、本発明では、ダンパー部材６を鉛直方向に上下スライド移動自在に形成することにより、所定未満の弱風が吹いたときには動作しないようにすることができ、経年劣化を少なくすることができて耐久性に優れるものである。
【００１３】
また、本発明では、下動状態のダンパー部材６の風受け片７が排気口３の上縁部よりも上側に位置するので、風受け片７で排気口３から吹き込む風を受けやすくすることができ、ダンパー部材６の動作不良を少なくすることができるものである。
【００１４】
また、本発明では、熱による熱変形部材５５の変形によりダンパー部材６を上動させて換気通路５を遮断することにより、ダンパー部材６を防火ダンパーとして機能させることができ、防火性能を高めることができるものである。
【発明を実施するための最良の形態】
【００１５】
以下、本発明を実施するための最良の形態を説明する。
【００１６】
本発明の換気棟は、図１に示すように、屋根１の棟部分に換気棟部材４やダンパー部材６などを設けて形成することができる。
【００１７】
図２に示すように、換気棟部材４は、塗装鋼板や亜鉛めっき鋼板などの金属板を折曲げ加工などして長尺に形成されるものであって、山形状（断面く字状）に連続する一対の傾斜部１５と、各傾斜部１５の側端部（互いに連続していない方の端部）の全長に亘って下方に向けて突設された起立部１６と、各起立部１６の下端の全長に亘って連設された差込み部１７とを備えて形成されている。換気棟部材４には両方の傾斜部１５の下面に跨るようにして断熱材１８が設けられている。この断熱材１８としてはポリエチレンフォームなどの樹脂発泡体を用いることができる。また、起立部１６は各傾斜部１５に対して略垂直で突設されており、起立部１６を厚み方向で貫通するようにして排気口３が形成されている。排気口３は起立部１６の略全長に亘って連続する一の開口であってもよいし、不連続の複数の排気口３を起立部１６の長手方向に並べて形成しても良い。差込み部１７は折り返し屈曲されて断面略Ｕ字状に形成されている。
【００１８】
ダンパー部材６は、アルミニウムの押出成形品や板金加工品、あるいはポリプロピレン（ＰＰ）、塩化ビニル樹脂、ナイロン（登録商標）、ポリエチレンテレフタレート（ＰＥＴ）、ポリエチレン、ＡＢＳ樹脂などの樹脂成形品で形成されるものを用いることができる。また、ダンパー部材６は取付部８と風受け片７とを有して形成されるものである。取付部８は下面が開口する断面略Ｕ字状に形成されており、風受け片７は平板状に形成されている。そして、取付部８の上部から側方に向けて風受け片７を略垂直に突出することにより、取付部８と風受け片７とを一体に形成している。従って、ダンパー部材６にはヒンジ機構や軸支構造は設けられておらず、ダンパー部材６は一定の断面形状を有するものである。尚、ダンパー部材６は後述のダンパー保持片９あるいは排気口３の長手方向（棟部分の長手方向と平行な方向）の寸法と略同じ長さに形成することができるが、ダンパー部材６は排気口３に対応する位置に設ければよいので、複数の排気口３が不連続に形成されている場合は、排気口３と同等の長さの複数個のダンパー部材６を用いることができる。
【００１９】
上記換気棟部材４及びダンパー部材６は固定部材１０により屋根１の棟部分に取り付けて固定することができる。固定部材１０は換気棟部材４と同様の金属板（板金）を折曲げ加工などして長尺に形成されるものであって、平板状の下固定片２１と、下固定片２１の一方の端部（棟側端部）に固定片２１に対して略垂直上方に突設された立設片２２と、立設片２２の上端に立設片２２に対して略垂直で軒側に突設された上固定片２３と、下固定片２１の他方の端部（軒側端部）に折り返し屈曲により形成された挟持片２４と、挟持片２４の棟側端部に挟持片２４に対して略垂直に突設されたダンパー保持片９とを備えて形成されている。ダンパー保持片９は排気口３からの雨水の流入を防止するための邪魔板としても作用するものである。また、立設片２２には通気孔２５が形成されている。通気孔２５は立設片２２の略全長に亘って連続する一の開口であってもよいし、不連続の複数の通気孔２５を立設片２２の長手方向に並べて形成しても良い。また、上固定片２３にはパーテーション部１１が設けられている。パーテーション部１１は上固定片２３に対して略垂直下方に突設されるものであり、上記通気孔２５とダンパー保持片９との間で通気孔２５に対向するように形成されている。パーテーション部１１は固定部材１０の長手方向（棟部分の長手方向と平行な方向）の寸法と略同じ長さに形成することができるが、パーテーション部１１は通気孔２５に対応する位置に設ければよいので、複数の通気孔２５が不連続に形成されている場合は、通気孔２５と同等の長さの複数個のパーテーション部１１を形成するようにしてもよい。また、パーテーション部１１の下端と下固定片２１との間には通気可能な間隙２６が形成されている。さらに、固定部材１０の長手方向の両端には側壁２７が設けられている。側壁２７は固定部材１０の長手方向の両端を閉塞するためのものであり、固定部材１０を換気棟部材４と結合した際に側壁２７の先端（軒側端部）は起立部１６に達するものである。また、側壁２７のダンパー保持片９の直ぐ棟側には水抜き孔５４が形成されており、ダンパー部材６よりも棟側の換気経路５にまで水が進入しても水抜き孔５４から排水することができるものである。また、下固定片２１の下面には弾性体２８が設けられている。
【００２０】
また、本発明では補強金具４０を用いることができる。補強金具４０は平板状の金具固定片４１と金具固定片４１の一方の端部（軒側端部）に上方に向かって略直角に屈曲形成した補強片４２と、補強片４２の上端から軒側に向かって略直角に突設される上当接片４３と、上当接片４３の軒側端部から下方に向かって略直角に突設される前当接片４４とから構成されている。
【００２１】
そして、本発明の換気棟を形成するにあたっては、次のようにして行なう。まず、図２に示すように、固定部材１０のダンパー保持片９にダンパー部材６の取付部８を差し込むことによって、固定部材１０にダンパー部材６を取り付ける。このようにダンパー部材６を固定部材１０に取り付けた後、固定部材１０に補強金具４０を取り付ける。補強金具４０の取り付けは、金具固定片４１をダンパー部材６の取付部８と固定部材１０の立設片２２との間において下固定片２１の上面に配置し、下固定片２１と金具固定片４１とをリベット等の固定具４６で固定するようにする。
【００２２】
次に、ダンパー部材６と補強金具４０を取り付けた状態の固定部材１０の挟持片２４と下固定片２１とを換気棟部材４の差込み部１７の内側空間に差し込む。ここで、挟持片２４と下固定片２１は補強金具４０の前当接片４４が起立部１６の棟側面に当接するまで差し込まれるものであり、これにより、ダンパー部材６の風受け片７の先端（軒側端部）は起立部１６と間隔を介して配置される。また、固定部材１０の上固定片２３と補強金具４０の上当接片４３とを傾斜部１５の下面に当接し、上固定片２３と傾斜部１５とをリベット等の固定具４６で固定する。
【００２３】
このようにして両方の傾斜部１５の両端部（両方の軒側端部）に固定部材１０、ダンパー部材６、補強金具４０を取り付けた後の換気棟部材４を屋根１の棟部分に配置する。屋根１は、棟木５０と、棟木５０の上に棟側端部が載置された複数本の母屋５１と、母屋５１の上に設けられる野地板５２と、野地板５２の上に葺かれた屋根材５３とを備えて構成されており、母屋５１、野地板５２、屋根材５３は棟木５０から軒側に向かって下り傾斜するように配置されている。また、棟木５０を挟んで両側に位置する母屋５１、５１の間と野地板５２、５２の間と屋根材５３、５３の間には間隙が設けられており、この間隙が屋根１の棟部分の略全長に亘って開口する屋根開口部２として形成されている。そして、固定部材１０、ダンパー部材６、補強金具４０を取り付けた換気棟部材４はその頂部（一対の傾斜部１５の境界部分）が屋根開口部２の真上に位置するようにして配置される。従って、換気棟部材４は屋根開口部２の上方を覆うようにして棟木５０の両側の屋根材５３、５３に跨るように配置され、換気棟部材４に設けた固定部材１０を屋根材５３に固定することによって、換気棟部材４を屋根１の棟部分の全長に亘って取り付けることができる。この時、弾性体２８は下固定片２１と屋根材５３との間に圧縮された状態で介在される。そして、換気棟部材４の下側の空間、すなわち、傾斜部１５と屋根材５３の間の空間が換気経路５として形成される。この換気経路５の途中にはパーテーション部１１や立設片２２が設けられているが、通気孔２５及び間隙２６が形成されているために、屋根開口部２と排気口３は換気経路５を通じて通気可能に形成されている。
【００２４】
次に、本発明の換気棟の作用について説明するが、図１（ａ）（ｂ）の向って右側部分におけるダンパー部材６の動作を中心に説明する。本発明の換気棟では、暴風雨などの所定以上の強風（１５ｍ／ｓ以上の強風）の時にダンパー部材６で換気経路５を閉塞することができる。すなわち、図１（ａ）及び図３（ａ）に示すように、強風時以外では、ダンパー部材６は自重により最も下側に位置してダンパー保持片９で支持されており、風受け片７は屋根面（屋根材５３の上面）に対して略平行に、すなわち、屋根１の傾斜と略平行な状態に保持されて配置されているが、強風時には排気口３から換気経路５に吹き込む強風（図１（ｂ）及び図３（ｂ）に矢印で示す）の風圧により、風受け片７が下側から押圧されることになり、この押圧によりダンパー部材６の全体がダンパー保持片９に沿って上方にスライド移動する。
【００２５】
そして、図１（ｂ）及び図３（ｂ）に示すように、上方にスライド移動したダンパー部材６の風受け片７の上面が傾斜部１５の下面に当接することによって、換気経路５が閉塞されるものである。従って、強風と共に排気口３から換気経路５に雨水が進入してもダンパー部材６よりも屋根開口部２側に達するのを防止して屋内への進入を防止することができ、ダンパー部材６の逆流防止弁のような作用により排気口３の近傍で雨水の進入を止めて排気口３から排出することができるものである。
【００２６】
一方、強風がおさまって所定未満（１５ｍ／ｓ未満）になると、ダンパー部材６の全体が自重によりダンパー保持片９に沿って下方にスライド移動するものであり、これにより、図１（ａ）及び図３（ａ）の状態、すなわち、ダンパー部材６がダンパー保持片９で支持されて、風受け片７が屋根面（屋根材５３の上面）に対して略平行で屋根１の傾斜と略平行な状態に保持された状態に戻って、換気経路５が開放されて連通状態となり、換気することができるものである。
【００２７】
本発明では、ダンパー部材６全体がダンパー保持片９に対して上下スライド移動するために、ダンパー部材６にヒンジ機構や軸支構造がなく、摺動する部分の摩擦や固着によるダンパー部材６の動作不良がなくなり、防水性の低下を少なくすることができるものである。また、ダンパー部材６の構造及び取り付けを簡素化することができ、製造コストを抑えることができるものである。
【００２８】
さらに、本発明では、ダンパー部材６の風受け片７の高さ寸法（挟持片２４から風受け片７の下面までの寸法）Ｈ１が排気口３の高さ寸法（挟持片２４から排気口３の上縁部までの寸法）Ｈ２よりも大きくなるように（Ｈ１≧Ｈ２）形成されており、これにより、排気口３から吹き込む強風が風受け片７の下面に当たりやすくなって、ダンパー部材６を確実に上方へスライド移動させることができるものである。さらに、ダンパー部材６が樹脂材料で形成されている場合であっても、ダンパー部材６は換気棟部材４で覆われているために、紫外線が直接当たらないようにすることができ、ダンパー部材６の紫外線による劣化を少なくすることができるものである。
【００２９】
また、換気経路５の途中に設けたパーテーション部１１により換気経路５が蛇行して長くなるものであり、万が一、ダンパー部材６の動作不良が生じてもある程度の防水性能は確保することができるものである。
【００３０】
図４に本発明の他の実施の形態を示す。この換気棟では、ダンパー保持片９が挟持片２４の端部から鉛直上向きに突出して設けている点を除いて上記実施の形態と同様に形成されている。すなわち、図１に示す上記実施の形態では、ダンパー保持片９が挟持片２４の端部から屋根面に対して略垂直に突出して設けたものであるが、この実施の形態ではダンパー保持片９が鉛直上向きに突出し、このダンパー保持片９に取付部８を差し込んでダンパー部材６を鉛直方向に上下スライド移動自在に取り付けたものである。従って、図１に示す場合よりもダンパー部材６にかかる地球の引力が大きくなるものであり、所定未満の弱風が吹いたときにはダンパー部材６が上動しないようにして経年劣化を少なくすることができるものであり、逆に上動したダンパー部材６が自重により下動しやすくなるものであり、ダンパー部材６の動作不良を少なくすることができるものである。
【００３１】
図５に本発明の他の実施の形態を示す。この換気棟は、ダンパー部材６に固着片５６と熱変形部材５５とを設けた以外は上記実施の形態と同様に形成されている。固着片５６は取付部８の下端から風受け片７と反対側に突出するようにして取付部８に一体的に形成されている。熱変形部材５５は固着片５６の下面に設けられているものであって、加熱により上下方向に伸張したり膨張したりするものである。
【００３２】
このような熱変形部材５５としては、加熱により発泡して膨張する熱発泡樹脂材料で形成したものを例示することができ、具体的には熱発泡樹脂材料としては温度約１８０℃に加熱されることにより発泡して膨張するグラファイト系熱発泡材などを用いることができる。また、ハンダなどの低融点合金と、これよりも融点の高いスプリングとを組み合わせて熱変形部材５５を形成することができる。すなわち、スプリングを圧縮した状態で低融点合金で固めて熱変形部材５５を形成することができ、このものでは加熱により低融点合金が溶融すると、低融点合金によりスプリングの圧縮状態を維持できなくなってスプリングが伸張するものである。
【００３３】
このように固着片５６と熱変形部材５５とを設けたダンパー部材６は図１〜３に示す実施の形態と同様にしてダンパー保持片９に取り付けられ、また、図５（ａ）（ｂ）に示すように、所定以上の強風が排気口３から吹き込むとダンパー部材６全体が上動して換気経路５を閉塞し、所定未満の風ではダンパー部材６が下動して換気経路５を開放するものであり、図１〜３に示す実施の形態と同様に動作するものである。そして、さらに、このダンパー部材６は火災発生時に防火ダンパーとして作用するものである。すなわち、屋内で火災が発生すると、熱気が屋根開口部２を通じて換気経路５に流入するが、この熱気で熱変形部材５５が加熱されて、図５（ｃ）に示すように、固着片５６と下固定片２１との間で膨張あるいは伸張するように熱変形を起すものであり、この熱変形によりダンパー部材６が押し上げられて、上方にスライド移動したダンパー部材６の風受け片７の上面が傾斜部１５の下面に当接することによって、換気経路５が閉塞されるものである。従って、換気経路５が煙突のように作用するのを防止することができ、鎮火しやすくなるものである。
【００３４】
尚、図５（ｂ）では熱変形部材５５が固着片５６と固着されている場合について説明したが、熱変形部材５５が固着片５６と固着されていない場合は、所定以上の強風が排気口３から換気経路５に吹き込むと、ダンパー部材６のみが上動して換気経路５を閉塞し、熱変形部材５５は下固定片２１の上面に留まった状態となる。
【図面の簡単な説明】
【００３５】
【図１】本発明の実施の形態の一例を示し、（ａ）（ｂ）は概略の断面図である。
【図２】同上の分解した断面図である。
【図３】同上のダンパー部材の動作を示し、（ａ）（ｂ）は概略の断面図である。
【図４】同上の他の実施の形態を示す概略の断面図である。
【図５】同上の他の実施の形態のダンパー部材の動作を示し、（ａ）乃至（ｃ）は概略の断面図である。
【図６】従来例を示す断面図である。
【符号の説明】
【００３６】
１  屋根
２  屋根開口部
３  排気口
４  換気棟部材
５  換気経路
６  ダンパー部材
７  風受け片
８  取付部
９  ダンパー保持片
５５  熱変形部材
【図１】
0004602875.tif 000002
【図２】
0004602875.tif 000003
【図３】
0004602875.tif 000004
【図４】
0004602875.tif 000005
【図５】
0004602875.tif 000006
【図６】
0004602875.tif 000007